(57)【要約】【課題】ヒューマンエラーによる接地短絡事故の発生を確実に防止すること。【解決手段】操作対象の電力開閉装置によって遮断される電路の接地に用いるアースフック２００に付帯する作業用アースタブレット１２０の位置情報を取得し、電力開閉装置の切断および投入を制御する制御装置３１０に対する当該電力開閉装置の投入要求を受け付けた場合に、取得された位置情報に基づいて、作業用アースタブレット１２０が所定の安全確認範囲外に位置するか否かを判断し、作業用アースタブレット１２０が安全確認範囲外に位置すると判断された場合、制御装置３１０による当該電力開閉装置の投入を禁止する作業用アース通知・監視装置３２０を構成した。【選択図】図３
2019009904.tif 000002
【特許請求の範囲】
【請求項１】
操作対象の電力開閉装置によって遮断される電路の接地に用いるアースフックに付帯する作業用アースタブレットの位置情報を取得する取得部と、
前記電力開閉装置の切断および投入を制御する制御装置に対する当該電力開閉装置の投入要求を受け付けた場合、前記取得部によって取得された位置情報に基づいて、前記作業用アースタブレットが所定の安全確認範囲外に位置するか否かを判断する判断部と、
前記判断部によって前記安全確認範囲外に位置すると判断された場合、前記制御装置による当該電力開閉装置の投入を禁止する投入制御部と、
を備えたことを特徴とする作業用アース通知・監視装置。
【請求項２】
前記制御装置は、前記作業用アース通知・監視装置から出力される動作要求に基づいて、前記電力開閉装置の切断および投入を制御し、
前記投入制御部は、
前記判断部によって前記安全確認範囲外に位置すると判断された場合、前記制御装置に対して、前記動作要求を出力しないことにより当該電力開閉装置の投入を禁止することを特徴とする請求項１に記載の作業用アース通知・監視装置。
【請求項３】
前記制御装置は、前記作業用アース通知・監視装置から出力される動作要求に基づいて、前記電力開閉装置の切断および投入を制御し、
前記投入制御部は、
前記判断部によって前記安全確認範囲外に位置すると判断された場合、前記制御装置に対して、該当する前記電力開閉装置の識別情報と、当該電力開閉装置の投入の禁止命令とを含む動作要求を出力することにより当該電力開閉装置の投入を禁止することを特徴とする請求項１に記載の作業用アース通知・監視装置。
【請求項４】
前記投入制御部は、
前記判断部によって前記安全確認範囲外に位置しないと判断された場合、前記制御装置に対して、該当する前記電力開閉装置の識別情報と、当該電力開閉装置の投入指令とを含む動作要求を出力することを特徴とする請求項３に記載の作業用アース通知・監視装置。
【請求項５】
前記電力開閉装置を含む所定範囲の電力系統図を表示画面に表示させる表示制御部を備え、
前記表示制御部は、前記位置情報に基づいて、前記電力系統図中に前記アースフックによる接地位置を表示させることを特徴とする請求項１〜４のいずれか一つに記載の作業用アース通知・監視装置。
【請求項６】
前記投入制御部は、
前記表示制御部によって前記電力系統図中に前記アースフックによる接地位置が表示されている場合、前記電力開閉装置の投入を禁止することを特徴とする請求項５に記載の作業用アース通知・監視装置。
【請求項７】
前記投入制御部は、前記判断部によって前記安全確認範囲外に位置しないと判断された場合、前記禁止を解除する、
ことを特徴とする請求項１〜６のいずれか一つに記載の作業用アース通知・監視装置。
【請求項８】
作業用アース通知・監視装置と、制御装置と、を備えた作業用アース通知・監視システムであって、
前記作業用アース通知・監視装置は、
操作対象の電力開閉装置によって遮断される電路の接地に用いるアースフックに付帯する作業用アースタブレットの位置情報を取得する取得部と、
前記電力開閉装置の切断および投入を制御する制御装置に対する当該電力開閉装置の投入要求を受け付けた場合、前記取得部によって取得された位置情報に基づいて、前記作業用アースタブレットが所定の安全確認範囲外に位置するか否かを判断する判断部と、
前記判断部によって前記安全確認範囲外に位置すると判断された場合、前記制御装置による当該電力開閉装置の投入を禁止する投入制御部と、を備え、
前記制御装置は、
前記作業用アース通知・監視装置と通信をおこない、当該通信の結果に基づいて、該当する前記電力開閉装置に対して切断または投入を指示する制御信号を出力する制御信号出力部を備えたことを特徴とする作業用アース通知・監視システム。
【請求項９】
前記制御装置は、
前記電力開閉装置の切断および投入にかかる入力操作を受け付ける操作受付部を備え、
制御信号出力部は、前記操作受付部によって前記電力開閉装置の投入にかかる入力操作を受け付けた場合、前記作業用アース通知・監視装置と通信をおこない、当該通信の結果に基づいて、該当する前記電力開閉装置に対して前記制御信号を出力することを特徴とする請求項８に記載の作業用アース通知・監視システム。
【請求項１０】
操作対象の電力開閉装置によって遮断される電路の接地に用いるアースフックに付帯する作業用アースタブレットの位置情報を取得し、
前記電力開閉装置の切断および投入を制御する制御装置に対する当該電力開閉装置の投入要求を受け付けた場合、取得された位置情報に基づいて、前記作業用アースタブレットが所定の安全確認範囲外に位置する場合、前記制御装置による当該電力開閉装置の投入を禁止する、
ことを特徴とする作業用アース通知・監視方法。
【請求項１１】
コンピュータに、
操作対象の電力開閉装置によって遮断される電路の接地に用いるアースフックに付帯する作業用アースタブレットの位置情報を取得し、
前記電力開閉装置の切断および投入を制御する制御装置に対する当該電力開閉装置の投入要求を受け付けた場合、取得された位置情報に基づいて、前記作業用アースタブレットが所定の安全確認範囲外に位置するか否かを判断し、
前記安全確認範囲外に位置すると判断された場合、前記制御装置による当該電力開閉装置の投入を禁止する、
処理を実行させることを特徴とする作業用アース通知・監視プログラム。
【発明の詳細な説明】
【技術分野】
【０００１】
この発明は、電路を停電しておこなう停電作業を支援する作業用アース通知・監視装置、作業用アース通知・監視システム、作業用アース通知・監視方法および作業用アース通知・監視プログラムに関する。
【背景技術】
【０００２】
送電線路や接地用の断路器を含む線路側断路器の点検時などにおこなう停電作業に際しては、電気の流入を防ぐため、運転機関において甲種アース（以降、「安全配慮用アース」という）のつけ・はずし（ＬＥは入・切）を管理し、停電作業現場において作業者の安全を確保するための乙種アース（以降、「作業用アース」という）のつけ・はずしを管理している。作業現場における作業用アースのつけ・はずしは、作業現場の運転責任者が各々管理している。
【０００３】
停電作業の終了後に復旧をおこなう際には、必ず、停電作業現場において作業用アースを外してから、運転機関から停電作業現場の運転責任者に対して電話による聞き取りなどをおこない、作業用アースがないことを確認した後に安全配慮用アースを外し、その後、停電範囲の充電操作をおこなう。
【０００４】
ここで、停電作業現場における誤認などによって、作業用アースを外し忘れているにもかかわらず作業用アースを外した旨の連絡をおこなった場合、運転機関から充電操作を実施した際に接地短絡事故が発生してしまう。従来、このような不具合を回避するための各種の技術があった。
【０００５】
具体的には、従来、たとえば、安全配慮用アースのみを停止回線に取り付けたときの電流値、および、停電作業後に作業用アースを停止回線から外したとされたときの電流値に基づいて作業用アースが安全配慮用アースよりも先に外されたか否かを確認するようにした技術があった（たとえば、下記特許文献１を参照。）。
【０００６】
また、具体的には、従来、たとえば、多回線の並行送配電系統のうち停止状態にある自回線について接地装置の接点を投入した際に、自回線の接地線に流れる隣接運転回線からの誘導電流または自回線の接地線に流れる充電電流を検出して接地投入状態を確認するとともに、誘導電流が得られない場合には接地線に低周波または高調波の監視信号を注入しこれを検出することにより接地投入状態を確認するようにした技術があった（たとえば、下記特許文献２を参照。）。
【０００７】
さらに、具体的には、従来、たとえば、アース棒に電流送信装置を取り付けて、アースが電線路に接続されている間は、遮断器操作盤に遮断器投入ロック信号電波を送信して遮断器投入操作をロックするようにした技術（たとえば、下記特許文献３を参照。）や、地器具によって電路が接地されているときにのみ、受信されたＧＰＳ情報に基づいて演算した受信位置の位置情報を無線で発信するようにした技術（たとえば、下記特許文献４を参照。）があった。
【先行技術文献】
【特許文献】
【０００８】
【特許文献１】特開２０１５−４７００１号公報
【特許文献２】特開２００３−２１７４０７号公報
【特許文献３】特開２００４−２２９４８４号公報
【特許文献４】特開２００９−２４７０４４号公報
【発明の概要】
【発明が解決しようとする課題】
【０００９】
しかしながら、上述した特許文献１〜４に記載された従来の技術は、いずれも、作業用アースのつけ・はずしの管理が停電作業現場だけに任せられており、運転機関において確実に把握することができていないため、人為的なミスであるヒューマンエラーによる接地短絡事故の発生を確実に防止することができないという問題があった。
【００１０】
具体的に、上述した特許文献１に記載された従来の技術は、作業用アースが取り付けられている位置を運転機関側において正確に確認することができず、このためにヒューマンエラーによる接地短絡事故の発生を確実に防止することができないという問題があった。また、上述した特許文献１に記載された従来の技術は、安全配慮用アースが設置されていない箇所には適用できず、送電線路以外の停電作業に適用することができないため汎用性に劣るという問題があった。
【００１１】
また、上述した特許文献２に記載された従来の技術は、作業用アースを外した後に安全配慮用アースを外すという運用をしている場合、作業用アースの外し忘れを確認することができないため、ヒューマンエラーによる接地短絡事故の発生を確実に防止することができないという問題があった。
【００１２】
また、上述した特許文献３に記載された従来の技術は、アース棒の取り付け位置の間違いに気付くことができないため、ヒューマンエラーによる接地短絡事故の発生を確実に防止することができないという問題があった。さらに、上述した特許文献３に記載された従来の技術は、電波送信装置が取り付けられたアース棒と遮断器投入ロックのシーケンス改修が必要となり、既設設備を改修または新規設備を導入することによりコストがかかるという問題があった。
【００１３】
また、上述した特許文献４に記載された従来の技術は、制御所におけるオペレーターの見落としや接地箇所が複数ある停電作業現場において誤認が生じた場合になされた遮断器の投入指令を防止するフェイルセイフ機能がないため、ヒューマンエラーによる接地短絡事故の発生を確実に防止することができないという問題があった。さらに、上述した特許文献４に記載された従来の技術は、接地器具に位置情報発信機を取り付ける必要があるため容易に実施することが難しいという問題があった。
【００１４】
この発明は、上述した従来技術による問題点を解消するため、ヒューマンエラーによる接地短絡事故の発生を確実に防止することができる作業用アース通知・監視装置、作業用アース通知・監視システム、作業用アース通知・監視方法および作業用アース通知・監視プログラムを提供することを目的とする。
【課題を解決するための手段】
【００１５】
上述した課題を解決し、目的を達成するため、この発明にかかる作業用アース通知・監視装置は、操作対象の電力開閉装置によって遮断される電路の接地に用いるアースフックに付帯する作業用アースタブレットの位置情報を取得する取得部と、前記電力開閉装置の切断および投入を制御する制御装置に対する当該電力開閉装置の投入要求を受け付けた場合、前記取得部によって取得された位置情報に基づいて、前記作業用アースタブレットが所定の安全確認範囲外に位置するか否かを判断する判断部と、前記判断部によって前記安全確認範囲外に位置すると判断された場合、前記制御装置による当該電力開閉装置の投入を禁止する投入制御部と、を備えたことを特徴とする。
【００１６】
また、この発明にかかる作業用アース通知・監視装置は、上記の発明において、前記制御装置が、前記作業用アース通知・監視装置から出力される動作要求に基づいて、前記電力開閉装置の切断および投入を制御し、前記投入制御部が、前記判断部によって前記安全確認範囲外に位置すると判断された場合、前記制御装置に対して、前記動作要求を出力しないことにより当該電力開閉装置の投入を禁止することを特徴とする。
【００１７】
また、この発明にかかる作業用アース通知・監視装置は、上記の発明において、前記制御装置が、前記作業用アース通知・監視装置から出力される動作要求に基づいて、前記電力開閉装置の切断および投入を制御し、前記投入制御部が、前記判断部によって前記安全確認範囲外に位置すると判断された場合、前記制御装置に対して、該当する前記電力開閉装置の識別情報と、当該電力開閉装置の投入の禁止命令とを含む動作要求を出力することにより当該電力開閉装置の投入を禁止することを特徴とする。
【００１８】
また、この発明にかかる作業用アース通知・監視装置は、上記の発明において、前記投入制御部が、前記判断部によって前記安全確認範囲外に位置しないと判断された場合、前記制御装置に対して、該当する前記電力開閉装置の識別情報と、当該電力開閉装置の投入指令とを含む動作要求を出力することを特徴とする。
【００１９】
また、この発明にかかる作業用アース通知・監視装置は、上記の発明において、前記電力開閉装置を含む所定範囲の電力系統図を表示画面に表示させる表示制御部を備え、前記表示制御部は、前記位置情報に基づいて、前記電力系統図中に前記アースフックによる接地位置を表示させることを特徴とする。
【００２０】
また、この発明にかかる作業用アース通知・監視装置は、上記の発明において、前記投入制御部が、前記表示制御部によって前記電力系統図中に前記アースフックによる接地位置が表示されている場合、前記電力開閉装置の投入を禁止することを特徴とする。
【００２１】
また、この発明にかかる作業用アース通知・監視装置は、上記の発明において、前記投入制御部が、前記判断部によって前記安全確認範囲外に位置しないと判断された場合、前記禁止を解除する、ことを特徴とする。
【００２２】
また、この発明にかかる作業用アース通知・監視システムは、作業用アース通知・監視装置と、制御装置と、を備えた作業用アース通知・監視システムであって、前記作業用アース通知・監視装置が、操作対象の電力開閉装置によって遮断される電路の接地に用いるアースフックに付帯する作業用アースタブレットの位置情報を取得する取得部と、前記電力開閉装置の切断および投入を制御する制御装置に対する当該電力開閉装置の投入要求を受け付けた場合、前記取得部によって取得された位置情報に基づいて、前記作業用アースタブレットが所定の安全確認範囲外に位置するか否かを判断する判断部と、前記判断部によって前記安全確認範囲外に位置すると判断された場合、前記制御装置による当該電力開閉装置の投入を禁止する投入制御部と、を備え、前記制御装置が、前記作業用アース通知・監視装置と通信をおこない、当該通信の結果に基づいて、該当する前記電力開閉装置に対して切断または投入を指示する制御信号を出力する制御信号出力部を備えたことを特徴とする。
【００２３】
また、この発明にかかる作業用アース通知・監視システムは、上記の発明において、前記制御装置が、前記電力開閉装置の切断および投入にかかる入力操作を受け付ける操作受付部を備え、制御信号出力部が、前記操作受付部によって前記電力開閉装置の投入にかかる入力操作を受け付けた場合、前記作業用アース通知・監視装置と通信をおこない、当該通信の結果に基づいて、該当する前記電力開閉装置に対して前記制御信号を出力することを特徴とする。
【００２４】
また、この発明にかかる作業用アース通知・監視方法は、操作対象の電力開閉装置によって遮断される電路の接地に用いるアースフックに付帯する作業用アースタブレットの位置情報を取得し、前記電力開閉装置の切断および投入を制御する制御装置に対する当該電力開閉装置の投入要求を受け付けた場合、取得された位置情報に基づいて、前記作業用アースタブレットが所定の安全確認範囲外に位置する場合、前記制御装置による当該電力開閉装置の投入を禁止する、ことを特徴とする。
【００２５】
また、この発明にかかる作業用アース通知・監視プログラムは、コンピュータに、操作対象の電力開閉装置によって遮断される電路の接地に用いるアースフックに付帯する作業用アースタブレットの位置情報を取得し、前記電力開閉装置の切断および投入を制御する制御装置に対する当該電力開閉装置の投入要求を受け付けた場合、取得された位置情報に基づいて、前記作業用アースタブレットが所定の安全確認範囲外に位置するか否かを判断し、前記安全確認範囲外に位置すると判断された場合、前記制御装置による当該電力開閉装置の投入を禁止する、処理を実行させることを特徴とする。
【発明の効果】
【００２６】
この発明にかかる作業用アース通知・監視装置、作業用アース通知・監視システム、作業用アース通知・監視方法および作業用アース通知・監視プログラムによれば、ヒューマンエラーによる接地短絡事故の発生を確実に防止することができるという効果を奏する。
【図面の簡単な説明】
【００２７】
【図１】この発明にかかる実施の形態の作業用アース通知・監視システムのシステム構成を示す説明図である。
【図２】アースフックおよび作業用アースタブレットの構成を示す説明図である。
【図３】作業用アース通知・監視システムの機能的構成を示す説明図である。
【図４】表示画面例を示す説明図である。
【図５】作業用アース通知・監視装置の処理手順を示すフローチャートである。
【発明を実施するための形態】
【００２８】
以下に添付図面を参照して、この発明にかかる作業用アース通知・監視装置、作業用アース通知・監視システム、作業用アース通知・監視方法および作業用アース通知・監視プログラムの好適な実施の形態を詳細に説明する。
【００２９】
（作業用アース通知・監視システムのシステム構成）
まず、この発明にかかる実施の形態の作業用アース通知・監視システムのシステム構成について説明する。図１は、この発明にかかる実施の形態の作業用アース通知・監視システムのシステム構成を示す説明図である。図１においては、この発明にかかる実施の形態の作業用アース通知・監視システムのシステムを示している。
【００３０】
図１において、この発明にかかる実施の形態の作業用アース通知・監視システム１００は、運転機関システム１１０と、作業用アースタブレット１２０と、制御所システム１３０と、を含んで構成される。運転機関システム１１０は、作業用アースタブレット１２０、および、制御所システム１３０と、インターネットなどのネットワーク１０２を介してそれぞれ通信可能に接続されている。
【００３１】
作業用アースタブレット１２０は、ＧＰＳ受信機と、マイクロコンピュータと、通信Ｉ／Ｆ（Ｉｎｔｅｒｆａｃｅ）と、を備えている。ＧＰＳ受信機は、アンテナと、ＲＦ（Ｒａｄｉｏ  Ｆｒｅｑｕｅｎｃｙ）ブロックと、ベースバンドＩＣ（Ｉｎｔｅｇｒａｔｅｄ  Ｃｉｒｃｕｉｔ）と、によって構成されている。
【００３２】
アンテナは、ＧＰＳ（Ｇｌｏｂａｌ  Ｐｏｓｉｔｉｏｎｉｎｇ  Ｓｙｓｔｅｍ）衛星１０１が放送する電波を受信する。アンテナは、アクティブ型であってもよく、パッシブ型であってもよい。ＲＦブロックは、アンテナが受信した変調前の信号をベースバンド信号に復調する。ベースバンドＩＣは、ＲＦブロックが復調したベースバンド信号に基づいて作業用アースタブレット１２０の現在位置を算出する。
【００３３】
作業用アースタブレット１２０の現在位置は、複数のＧＰＳ衛星１０１から送信される電波に基づく測位によって特定することができる。ベースバンドＩＣは、４機のＧＰＳ衛星１０１との距離をそれぞれ算出し、それぞれの距離が一つに交わる位置を算出することによって測位をおこなう。ＧＰＳは、ＧＰＳ衛星１０１からの電波を受信し、ＧＰＳ衛星１０１と作業用アースタブレット１２０との幾何学的位置を求めるものであり、ＧＰＳを利用することによって地球上どこでも作業用アースタブレット１２０の現在位置を計測することができる。
【００３４】
マイクロコンピュータは、各種プログラムや各種データを記憶するメモリや、メモリが記憶する各種プログラムを実行するＣＰＵ（Ｃｅｎｔｒａｌ  Ｐｒｏｃｅｓｓｉｎｇ  Ｕｎｉｔ）などを備えている。マイクロコンピュータは、メモリが記憶する各種プログラムの実行に際して、メモリが記憶する各種データを用いる。メモリは、作業用アースタブレット１２０の識別情報を記憶しており、マイクロコンピュータは、通信Ｉ／Ｆを制御して、ＧＰＳ受信機（ベースバンドＩＣ）が算出した位置情報と識別情報とを含む位置通知を出力する。
【００３５】
作業用アースタブレット１２０の識別情報は、作業用アースタブレット１２０ごとに一意の情報であって、たとえば、アース管理システムの管理者によって任意に設定することができる。具体的に、作業用アースタブレット１２０の識別情報は、アース管理システムにおいて用いられる作業用アースタブレット１２０に順次付与した通し番号であってもよく、事業所の識別情報と当該事業所ごとの通し番号とを組み合わせた番号などであってもよい。
【００３６】
なお、アース管理システムにおいて用いる、位置情報の算出にかかる衛星測位システムは、ＧＰＳに限るものではない。アース管理システムにおいては、ＧＰＳに代えて、みちびき、グローナス（ＧＬＯＮＡＳＳ）、ガリレオ（Ｇａｌｉｌｅｏ）などの衛星測位システムを用いて作業用アースタブレット１２０の現在位置を特定してもよい。
【００３７】
運転機関システム１１０は、需要家の受電設備に供給する電力系統を構成する各種の設備のうちの所定範囲における設備１０３を制御する。電力系統を構成する各種の設備１０３は、たとえば、発電設備、送電設備、変電設備、配電設備、および、電力量計などの需要家設備によって実現される。
【００３８】
電力系統を構成する各種の設備１０３は、電力開閉装置を含む。電力開閉装置は、電力系統の一部を開閉する器具または装置であって、具体的には、電力系統に設けられた遮断器、開閉器、断路器などによって実現することができる。運転機関システム１１０は、作業用アース通知・監視装置を備えている（図３を参照）。
【００３９】
作業用アース通知・監視装置は、サーバコンピュータあるいはパーソナルコンピュータなどの汎用的なコンピュータ装置を備えている。コンピュータ装置は、たとえば、電気事業者が管理運営する事業所に設置される。コンピュータ装置は、ＣＰＵと、メモリと、通信Ｉ／Ｆと、を備えている。コンピュータ装置が備える各部は、それぞれ、バスによって接続されている。
【００４０】
ＣＰＵは、コンピュータ装置の全体の制御をつかさどる。メモリは、ブートプログラムなどのプログラムや各種のデータベースを構成するデータなどを記憶している。具体的に、メモリは、たとえば、この発明にかかる実施の形態のアース管理プログラムを記憶している。また、メモリは、ＣＰＵのワークエリアとして使用される。メモリは、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００４１】
通信Ｉ／Ｆは、インターネットなどのネットワーク１０２に接続され、コンピュータ装置の内部と外部装置とのインターフェイスをつかさどり、コンピュータ装置の内部と、作業用アースタブレット１２０などの外部装置と、の間におけるデータの入出力を制御する。作業用アース通知・監視装置は、相互に通信可能に構成された複数のコンピュータ装置を備えていてもよい。
【００４２】
また、作業用アース通知・監視装置は、コンピュータ装置に接続されたディスプレイや、コンピュータ装置に対する各種の入力操作を受け付ける入力装置などを備えている。ディスプレイは、たとえば、液晶パネルによって実現することができる。液晶パネルは、透明電極が組み込まれた一対のガラス基板によって液晶材料（液晶分子）を挟み、このガラス基板に偏光フィルタを設けることによって構成されている。液晶パネルは、電極に電圧を加えて液晶分子の向きを変化させることによって、ガラス基板を透過する光の状態を制御する。
【００４３】
入力装置は、入力装置に対する入力操作に応じた信号をＣＰＵに対して出力する。入力装置は、たとえば、キーボードやテンキーなどによって実現することができる。入力装置はタッチパネルによって実現してもよく、この場合、タッチパネルはディスプレイの表示面側に積層される。
【００４４】
制御所システム１３０は、電力系統を構成する各種の設備１０３を制御する。制御所システム１３０は、制御装置を備えている（図３を参照）。制御装置は、上記のコンピュータ装置と同様のコンピュータ装置によって実現され、作業用アース通知・監視装置と同様に、ディスプレイや入力装置などを備えている。
【００４５】
制御装置は、インターネットなどのネットワーク１０２を介して電力開閉装置のＴＣ（ＴｅｌｅＣｏｎｔｒｏｌ）盤１４０と接続されている。ＴＣ盤１４０は、電力開閉装置の遠隔操作に用いる制御用のスイッチ類を備えており、制御装置から出力される制御信号に基づいて該当するスイッチを動作させる。制御信号は、電力開閉装置の切断指令や投入指令などの動作指令を含む。
【００４６】
制御装置は、該当する電力開閉装置の開閉状態を制御するＴＣ盤１４０に制御信号を送信することにより、当該電力開閉装置を遠方から開閉動作させることができる。制御装置は、入力装置に対して、電力開閉装置の投入にかかる所定の入力操作を受け付けた場合に、該当する電力開閉装置の動作指令を含む制御信号を、該当する電力開閉装置に対応するＴＣ盤１４０に送信する。また、この実施の形態のアース管理システムにおいて、制御装置は、作業用アース通知・監視装置との通信結果に基づいて、該当する電力開閉装置のＴＣ盤１４０に制御信号を送信する。
【００４７】
（アースフックの構成）
つぎに、アースフックおよび作業用アースタブレット１２０の構成について説明する。図２は、アースフックおよび作業用アースタブレット１２０の構成を示す説明図である。アースフック２００は、操作対象の電力開閉装置によって遮断される電路の接地に用いられる。アースフック２００は、操作棒２０１と、頭部金具２０２と、接地金具２０３と、アースリード線２０４と、を備えている。
【００４８】
操作棒２０１は、頭部金具２０２を電路に取り付ける作業をおこなう際に、作業者によって把持される。操作棒２０１は、たとえば、電気絶縁性を有する材料を用いて形成されており、具体的には、たとえば、エポキシ樹脂などを用いて形成されている。頭部金具２０２は、操作棒２０１の長さ方向における一端（先端）に設けられる。頭部金具２０２は、操作棒２０１の一端に同軸状に設けられた回転棒２０２ａと、回転棒２０２ａの先端に設けられた雄ネジに螺合する歯車を覆う金属カバー２０２ｂと、金属カバー２０２ｂに連結された開閉フック２０２ｃと、を備えている。
【００４９】
開閉フック２０２ｃは、歯車を介して回転棒２０２ａの回転が伝達されることにより金属カバー２０２ｂに対して回動する。開閉フック２０２ｃは、所定方向に回動することにより、金属カバー２０２ｂとの間に電線などの接地対象を挟持する。接地金具２０３は、金属など導電性を有する材料を用いて形成されており、接地金具２０３は大地に埋設されたアース部材（図示を省略する）に接続される。アース線は、導電性の材料によって形成され、開閉フック２０２ｃと接地金具２０３とを電気的に接続する。
【００５０】
作業用アースタブレット１２０は、操作棒２０１に取り付けられる。具体的に、作業用アースタブレット１２０は、たとえば、ゴム製のバンド状部材２１０を用いて操作棒２０１に取り付けられる。作業用アース通知・監視システム１００の運用上、作業用アースタブレット１２０は、アースフック２００を用いた作業用アースが必要な作業をおこなう際に、作業者がアースフック２００に取り付ける。
【００５１】
作業者と、当該作業者が作業現場に携行した作業用アースタブレット１２０と、の組み合わせは、たとえば、事業所において管理されている。管理方法は、たとえば、作業用アースタブレット１２０を携行する作業者が、携行する作業用アースタブレット１２０の識別情報および作業現場を、随時台帳に記入したり、コンピュータ装置が記憶する管理テーブルに入力したりすることによっておこなう。
【００５２】
（作業用アース通知・監視システム１００の機能的構成）
つぎに、この発明にかかる実施の形態の作業用アース通知・監視システム１００の機能的構成について説明する。図３は、作業用アース通知・監視システム１００の機能的構成を示す説明図である。図３において、作業用アース通知・監視システム１００の機能は、制御装置３１０が実現する各機能と、作業用アース通知・監視装置３２０が実現する各機能と、によって実現される。
【００５３】
（制御装置３１０の機能的構成）
制御装置３１０の機能は、記憶部３１１と、操作受付部３１２と、動作要求受付部３１３と、制御信号出力部３１４と、によって実現される。記憶部３１１は、電力系統を構成する各設備の制御に関する情報や、電力系統に関する情報を記憶する。電力系統に関する情報は、たとえば、電力系統を構成する各設備の接続関係を示す情報を含む。
【００５４】
電力系統を構成する各設備の接続関係は、たとえば、当該接続関係を所定の記号を用いて示す図によってあらわすことができる。また、電力系統に関する情報は、たとえば、電力系統を構成する各設備の種類、機能、属性、設置位置などを示す情報を含む。記憶部３１１の機能は、たとえば、制御装置３１０を実現するコンピュータ装置が備えるＣＰＵやメモリなどによって実現することができる。
【００５５】
操作受付部３１２は、電力開閉装置の切断および投入にかかる入力操作を受け付ける。操作受付部３１２は、制御装置３１０に対して作業者によって直接なされた入力操作を受け付ける。操作受付部３１２の機能は、たとえば、制御装置３１０を実現するコンピュータ装置が備える入力装置によって実現することができる。
【００５６】
動作要求受付部３１３は、作業用アース通知・監視装置３２０から出力される動作要求を受け付ける。動作要求は、制御装置３１０に対して、電力開閉装置の切断や投入をおこなわせる制御信号の出力を要求するコマンドであって、作業用アース通知・監視装置３２０において所定の入力操作が受け付けられた場合に、作業用アース通知・監視装置３２０から出力される。動作要求は、切断や投入の対象となる電力開閉装置の識別情報を含む。動作要求受付部３１３の機能は、たとえば、制御装置３１０を実現するコンピュータ装置が備えるＣＰＵ、メモリ、通信Ｉ／Ｆなどによって実現することができる。
【００５７】
制御信号出力部３１４は、動作要求受付部３１３によって受け付けられた動作要求に応じて、該当する電力開閉装置に対して切断または投入を指示する制御信号を出力する。電力開閉装置は、制御信号出力部３１４によって出力された制御信号に基づいて切断または投入され、電路を切断または充電する。
【００５８】
具体的には、動作要求受付部３１３によって受け付けられた動作要求が、電力開閉装置の切断にかかる動作要求である場合、制御信号出力部３１４は、該当する電力開閉装置を制御するＴＣ盤１４０に対して、当該電力開閉装置を切断させる制御信号を出力する。一方、動作要求受付部３１３によって受け付けられた動作要求が、電力開閉装置の投入にかかる動作要求である場合、制御信号出力部３１４は、該当する電力開閉装置を制御するＴＣ盤１４０に対して、当該電力開閉装置を投入させる制御信号を出力する。
【００５９】
また、制御信号出力部３１４は、操作受付部３１２によって受け付けられた入力操作に応じて、該当する電力開閉装置に対して切断または投入を指示する制御信号を出力してもよい。具体的には、操作受付部３１２において、電力開閉装置の切断にかかる入力操作を受け付けた場合、制御信号出力部３１４は、該当する電力開閉装置を制御するＴＣ盤１４０に対して、当該電力開閉装置を切断させる制御信号を出力する。
【００６０】
一方、操作受付部３１２において、電力開閉装置の投入にかかる入力操作を受け付けた場合、制御信号出力部３１４は、該当する電力開閉装置を制御するＴＣ盤１４０に対して、当該電力開閉装置を投入させる制御信号を出力する。制御信号出力部３１４の機能は、たとえば、制御装置３１０を実現するコンピュータ装置が備えるＣＰＵ、メモリ、通信Ｉ／Ｆなどによって実現することができる。
【００６１】
（作業用アース通知・監視装置３２０の機能的構成）
作業用アース通知・監視装置３２０の機能は、記憶部３２１と、要求受付部３２２と、取得部３２３と、表示制御部３２４と、判断部３２５と、投入制御部３２６と、によって実現される。記憶部３２１は、電力系統に関する情報を記憶する。作業用アース通知・監視装置３２０の記憶部３２１は、事業所ごとに、当該事業所が管理する電力系統に関する情報のみを記憶していてもよい。
【００６２】
また、記憶部３２１は、各事業所に配備されている作業用アースタブレット１２０の識別情報を記憶している。記憶部３２１は、配備されている事業所に関する情報と関連付けて作業用アースタブレット１２０の識別情報を記憶していてもよい。記憶部３２１の機能は、たとえば、作業用アース通知・監視装置３２０を実現するコンピュータ装置が備えるＣＰＵやメモリなどによって実現することができる。
【００６３】
要求受付部３２２は、電力開閉装置の切断にかかる切断要求や、投入にかかる投入要求などの各種の要求を受け付ける。具体的には、要求受付部３２２は、たとえば、作業用アース通知・監視装置３２０の操作をおこなう作業者による、入力装置に対する所定の入力操作を受け付けることによって切断要求や投入要求などの各種の要求を受け付ける。
【００６４】
作業用アース通知・監視システム１００の運用上、切断要求や投入要求などの要求の入力操作に際しては、作業者が作業現場に携行する作業用アースタブレット１２０の識別情報の入力を要する。作業用アースタブレット１２０の識別情報は、たとえば、作業者が入力装置に対する所定の入力操作をおこなって手動で入力することによって入力する。
【００６５】
あるいは、作業用アースタブレット１２０の識別情報は、たとえば、作業用アースタブレット１２０の識別情報をコード化したコード情報（バーコードなどの一次元コード、ＱＲコード（登録商標）などの二次元コード）を当該作業用アースタブレット１２０に設けておき、このコード情報を、作業用アース通知・監視装置３２０に接続した光学式コードリーダを用いて読み取ることによって入力するようにしてもよい。
【００６６】
切断要求や投入要求などの要求の入力操作に際して、作業現場に携行する作業用アースタブレット１２０の識別情報の入力をともなうことにより、作業のために事業所から持ち出されている作業用アースタブレット１２０を確実に特定することができ、作業用アースタブレット１２０の誤認によって作業用アースが外れていると誤認することを確実に防止することができる。
【００６７】
また、作業用アース通知・監視システム１００の運用上、切断要求や投入要求などの要求の入力操作に際しては、作業者が作業現場に携行する作業用アースタブレット１２０の識別情報に加えて、作業現場となる区間に関する情報を入力させてもよい。作業用アースタブレット１２０の識別情報と、作業現場となる区間に関する情報と、を入力させることにより、切断や投入をおこなう電力開閉装置を作業用アース通知・監視装置３２０に認識させることができる。要求受付部３２２の機能は、たとえば、作業用アース通知・監視装置３２０を実現するコンピュータ装置が備えるＣＰＵ、メモリ、通信Ｉ／Ｆ、入力装置などによって実現することができる。
【００６８】
取得部３２３は、アースフック２００に付帯する作業用アースタブレット１２０の位置情報を取得する。取得部３２３は、たとえば、要求受付部３２２によって要求を受け付けるごとに、作業用アースタブレット１２０の位置情報を取得する。取得部３２３は、要求受付部３２２によって要求を受け付けた際に入力された識別情報に基づいて特定される作業用アースタブレット１２０と通信をおこない、当該作業用アースタブレット１２０から位置情報と識別情報とを受信することによって作業用アースタブレット１２０の位置情報を取得する。これにより、受け付けた要求に応じて電力開閉装置を動作させる前に、必ず作業用アースタブレット１２０の位置を確認することができる。
【００６９】
あるいは、取得部３２３は、すべての作業用アースタブレット１２０と、たとえば、「１０分ごと」、「１時間ごと」、「２時間ごと」などのように、定期的に通信をおこなって、すべての作業用アースタブレット１２０の位置情報を取得してもよい。これにより、定期的に、作業用アースタブレット１２０の位置を確認することができ、紛失している作業用アースタブレット１２０がないか、壊れている作業用アースタブレット１２０がないか、などのチェックをおこなうことができる。取得部３２３の機能は、たとえば、作業用アース通知・監視装置３２０を実現するコンピュータ装置が備えるＣＰＵ、メモリ、通信Ｉ／Ｆ、入力装置などによって実現することができる。
【００７０】
表示制御部３２４は、記憶部３２１が記憶する情報に基づいて、電力開閉装置を含む所定範囲の電力系統図を表示画面に表示させる。電力系統図は電力系統を構成する各設備の接続関係を所定の記号を用いて示す図である。電力系統図を表示する表示画面は、たとえば、作業用アース通知・監視装置３２０や、作業用アース通知・監視装置３２０と通信可能な装置が備えている。電力系統図を表示する表示画面は、具体的には、たとえば、作業用アース通知・監視装置３２０や制御装置３１０が備えるディスプレイによって実現することができる。
【００７１】
また、表示画面を備える装置は、たとえば、作業者が作業現場に携行する情報端末装置（図示を省略する）によって実現してもよい。情報端末装置は、無線通信機能を備え、タッチパネル液晶を搭載し、可搬性を備えた小型のコンピュータ装置（いわゆるタブレット端末）によって実現することができる。
【００７２】
表示制御部３２４は、作業用アース通知・監視装置３２０が備えるディスプレイや、作業用アース通知・監視装置３２０と通信可能な装置に対して、電力系統図を表示させるための表示情報を出力することによって、電力開閉装置を含む所定範囲の電力系統図を表示画面に表示させる。表示情報は、作業用アース通知・監視システム１００が管理する範囲におけるすべての電力系統図を表示画面に表示させるための表示情報とすることができる。表示制御部３２４は、情報端末装置に対しては、当該情報端末装置の位置情報に基づいて、当該情報端末装置を含む所定範囲の電力系統図を表示画面に表示させるための表示情報を出力してもよい。
【００７３】
また、表示制御部３２４は、取得部３２３によって取得された位置情報に基づいて、電力系統図中にアースフック２００による接地位置を表示させる（図４を参照）。電力系統図における、アースフック２００による接地位置は、たとえば、電路における各区間のうち、作業用アースタブレット１２０の位置情報によって特定される地点と重複する区間とすることができる。
【００７４】
また、電力系統図における、アースフック２００による接地位置は、電路における各区間のうち、作業用アースタブレット１２０の位置情報によって特定される地点を中心とする所定範囲と重複する区間としてもよい。これにより、ＧＰＳの精度により、電路と作業用アースタブレット１２０の位置情報によって特定される地点とが完全に重複しなくても、電路の近傍に作業用アースタブレット１２０が位置する場合は作業用接地がなされていると判断し、誤って電路を充電してしまうことを確実に防止することができる。
【００７５】
判断部３２５は、要求受付部３２２によって電力開閉装置の切断や投入にかかる要求を受け付けた場合、取得部３２３によって取得された位置情報に基づいて、該当する作業用アースタブレット１２０が所定の安全確認範囲外に位置するか否かを判断する。該当する作業用アースタブレット１２０は、たとえば、要求受付部３２２によって要求を受け付けた際に入力された識別情報に基づいて特定される作業用アースタブレット１２０によって実現される。
【００７６】
安全確認範囲は、作業用アースタブレット１２０が事業所内にある、すなわち、作業現場にはないと判断できる範囲であって、具体的には、たとえば、「事業所から２０メートルの範囲」、「事業所から１キロメートルの範囲」、あるいは、「作業現場から１キロメートル以上離れている場所」などのように設定することができる。判断部３２５の機能は、たとえば、作業用アース通知・監視装置３２０を実現するコンピュータ装置が備えるＣＰＵ、メモリなどによって実現することができる。
【００７７】
投入制御部３２６は、判断部３２５によって作業用アースタブレット１２０が安全確認範囲外に位置すると判断された場合、制御装置３１０による該当する電力開閉装置の投入を禁止する。具体的に、投入制御部３２６は、判断部３２５によって安全確認範囲外に位置すると判断された場合、制御装置３１０に対して、上記の動作要求を出力しないことによって、該当する電力開閉装置の投入を禁止する。
【００７８】
あるいは、投入制御部３２６は、判断部３２５によって作業用アースタブレット１２０が安全確認範囲外に位置すると判断された場合、制御装置３１０に対して、該当する電力開閉装置の識別情報と、当該電力開閉装置の投入の禁止命令とを含む動作要求を出力することによって、該当する電力開閉装置の投入を禁止するようにしてもよい。
【００７９】
また、投入制御部３２６は、判断部３２５によって作業用アースタブレット１２０が安全確認範囲内に位置すると判断された場合に、制御装置３１０に対して、該当する電力開閉装置の識別情報と、当該電力開閉装置の投入の投入指令とを含む動作要求を出力するようにしてもよい。これにより、作業用アース通知・監視装置における入力操作に基づいて、制御装置３１０を動作させ、該当する電力開閉装置を投入することができる。
【００８０】
また、投入制御部３２６は、判断部３２５によって作業用アースタブレット１２０が安全確認範囲内に位置すると判断された場合に禁止を解除するようにしてもよい。この場合、たとえば、制御所システム１３０においても該当する電力開閉装置の投入操作がおこなわれた場合に当該電力開閉装置を投入するように運用することができる。これにより、ヒューマンエラーによる接地短絡事故の発生をより確実に防止することができる。
【００８１】
事業所が管理する範囲の電力系統図のみを表示画面に表示させる運用をおこなっているときは、投入制御部３２６は、表示制御部３２４によって電力系統図中にアースフック２００による接地位置が表示されている場合に、電力開閉装置の投入を禁止するようにしてもよい。これにより、作業者は、表示画面中に接地位置がないことを目視によって確認してから切断要求や投入要求などの入力をおこなうことができるので、作業用アースが外れていると誤認することを確実に防止できる。
【００８２】
（表示画面例）
つぎに、表示画面例について説明する。図４は、表示画面例を示す説明図である。図４においては、情報端末装置のディスプレイに表示される表示画面と、作業用アース通知・監視装置３２０のディスプレイに表示される表示画面と、を示している。
【００８３】
図４において、表示画面４１１、４１２は、情報端末装置のディスプレイに表示される。表示画面４１１は、作業用アースが電路につけられている状態を示している。作業用アースが電路につけられているか否かは、上記のように、作業用アースタブレット１２０の位置情報に基づいて判断することができる。
【００８４】
作業用アースが電路につけられている状態では、作業用アースがつけられている箇所が、その他の部分とは異なる表示がなされる。具体的には、たとえば、作業用アースが付けられている箇所の表示色と、その他の部分とは異なる表示色で表示させることにより、作業用アースが付けられている箇所を強調する表示をおこなう。また、作業用アースが付けられている箇所を点滅表示させて強調表示させるようにしてもよい。
【００８５】
表示画面４１２は、作業用アースタブレット１２０が安全確認範囲内に位置する状態を示している。作業用アースが取り外されて、作業者が事業所に持ち帰ると、作業用アースタブレット１２０の位置情報に基づいて、作業用アースタブレット１２０が安全確認範囲内に位置すると判断される。この状態では、作業用アースが付けられていた箇所は、その他の部分と同じ態様で表示される。
【００８６】
表示画面４１２によれば、作業者は、周囲と異なる表示がなされている部分があるか否かを目視によって確認するだけで、作業用アースが取り外されて、作業用アースタブレット１２０が安全確認範囲内に位置することを容易かつ確実に認識することができる。作業用アース通知・監視システム１００の運用に際しては、作業現場にいる作業者から、事業所にいる作業者に対して、電力開閉装置の投入要求を依頼する。
【００８７】
表示画面４２１、４２２は、作業用アース通知・監視装置３２０のディスプレイに表示される。表示画面４２１は、表示画面４１１と同様に、作業用アースが付けられている箇所を強調表示させる。表示画面４２２は、表示画面４１２と同様に、作業用アースが付けられていた箇所を、その他の部分と同じ態様で表示させる。電力開閉装置の投入要求は、表示画面４１２が表示されている状態で入力する。電力系統図における複数箇所において作業用アースをおこなっている場合は、該当する箇所の表示が強調表示されていないことを確認した場合に、電力開閉装置の投入要求の入力をおこなう。
【００８８】
このように、作業者が作業現場に携行する情報端末装置と、作業用アース通知・監視装置３２０のディスプレイと、において同じ表示画面４１１、４１２、４２１、４２２を表示させることにより、作業現場で作業をおこなった作業者と、事業所において作業用アース通知・監視装置３２０を操作する作業者との双方が、作業用アースが外れているか否かを容易かつ確実に認識することができる。
【００８９】
作業用アース通知・監視装置３２０は、作業用アースが外れていないと判断される状況で投入要求にかかる入力操作を受け付けた場合、ディスプレイに、作業用アースが外れていないことを通知する警告画面を表示してもよい。これにより、オペレーターに対して、該当する電力開閉装置の投入が完了していないことを通知することができる。
【００９０】
（作業用アース通知・監視方法）
つぎに、この発明にかかる実施の形態の作業用アース通知・監視システム１００を用いた作業用アース通知・監視方法について説明する。作業用アース通知・監視方法は、停電作業に際しておこなう。停電作業は、たとえば、送電線路や電力開閉装置の点検時などにおこなう。
【００９１】
停電作業をおこなう作業者は、作業現場に、作業用アースタブレット１２０を携行する。作業者は、携行する作業用アースタブレット１２０の識別情報と、作業現場に該当する区間と、を事業所に通知する。停電作業は、運転機関において安全配慮用アースをつけ、作業現場においてアースフック２００を設置して作業用アースをつけることによって、作業対象箇所への電気の流入を防いだ状態でおこなう。
【００９２】
作業者は、作業現場での作業が完了すると、作業用アースを外し、事業所に戻る。作業用アース通知・監視装置３２０のオペレーターは、口頭で直接あるいは電話などによって作業者から聞き取りをおこない、作業用アースが外れていることを確認する。その後、オペレーターは、作業用アース通知・監視装置３２０に対して、該当する電力開閉装置の投入要求にかかる入力操作をおこなう。
【００９３】
投入要求にかかる入力操作に際して、オペレーターは、入力操作に先立って作業用アース通知・監視装置３２０のディスプレイを目視し、該当する区間において作業用アースが外れているかを確認する。このとき、表示画面４２２が表示されていれば投入要求にかかる入力操作をおこなうことができる。
【００９４】
作業用アース通知・監視装置３２０は、投入要求にかかる入力操作を受け付けると、作業用アースタブレット１２０の位置情報に基づいて、作業用アースが外れているか否かを判断する。そして、作業用アースが外れていないと判断した場合、該当する電力開閉装置の投入を禁止する。
【００９５】
このように、作業用アース通知・監視システム１００を用いた作業用アース通知・監視方法によれば、電力開閉装置の投入に際して、作業現場における作業者の目視による確認と、オペレーターによる表示画面４２２の目視による確認と、作業用アース通知・監視装置３２０による作業用アースタブレット１２０の位置情報に基づく確認と、の複数の確認がおこなわれる。これにより、作業用アースがつけられた状態のまま電路が充電されることを確実に防止することができる。
【００９６】
作業用アース通知・監視システム１００を用いた作業用アース通知・監視方法によれば、万一、作業者やオペレーターの誤認によって電力開閉装置の投入にかかる入力操作がおこなわれた場合には、作業用アース通知・監視装置３２０によって、制御装置３１０による電力開閉装置の投入命令を阻止するフェイルセイフ機能（制御インターロック）が作動する。これにより、ヒューマンエラーによる接地短絡事故の発生を確実に防止することができる。
【００９７】
作業用アース通知・監視システム１００は、電力開閉装置の遮断をおこなう場合にも利用することができる。具体的には、作業用アースタブレット１２０の位置は当該作業用アースタブレット１２０を携行する作業者の位置でもあるため、作業用アースタブレット１２０の位置情報に基づいて、作業者が作業現場に到着したことが確認できた場合に、該当する電力開閉装置の遮断をおこなうことができる。これにより、停電時間を最小限に抑えることができる。
【００９８】
（作業用アース通知・監視装置３２０の処理手順）
つぎに、作業用アース通知・監視装置３２０の処理手順について説明する。図５は、作業用アース通知・監視装置３２０の処理手順を示すフローチャートである。図５においては、電力開閉装置の投入にかかる作業用アース通知・監視装置３２０の処理手順を示している。
【００９９】
図５のフローチャートにおいて、まず、電力開閉装置の投入要求の入力操作を受け付けるまで待機する（ステップＳ５０１：Ｎｏ）。ステップＳ５０１において、電力開閉装置の投入要求の入力操作を受け付けた場合（ステップＳ５０１：Ｙｅｓ）、該当する作業用アースタブレット１２０の位置情報を取得する（ステップＳ５０２）。
【０１００】
つぎに、該当する作業用アースタブレット１２０の位置情報に基づいて、当該作業用アースタブレット１２０が安全確認範囲外に位置するか否かを判断する（ステップＳ５０３）。ステップＳ５０３において、該当する作業用アースタブレット１２０が安全確認範囲外に位置しない、すなわち、安全確認範囲内に位置する場合（ステップＳ５０３：Ｎｏ）、該当する電力開閉装置を制御するＴＣ盤１４０に対して、投入指令を出力して（ステップＳ５０４）、一連の処理を終了する。
【０１０１】
一方、ステップＳ５０３において、該当する作業用アースタブレット１２０が安全確認範囲外に位置する場合（ステップＳ５０３：Ｙｅｓ）、該当する電力開閉装置の投入を禁止して（ステップＳ５０５）、一連の処理を終了する。ステップＳ５０５においては、該当する電力開閉装置の投入を禁止するとともに、ディスプレイに警告画面を表示してもよい。
【０１０２】
以上説明したように、この発明にかかる実施の形態の作業用アース通知・監視装置３２０は、操作対象の電力開閉装置によって遮断される電路の接地に用いるアースフック２００に付帯する作業用アースタブレット１２０の位置情報を取得し、電力開閉装置の切断および投入を制御する制御装置３１０に対する当該電力開閉装置の投入要求を受け付けた場合に、取得された位置情報に基づいて、作業用アースタブレット１２０が所定の安全確認範囲外に位置するか否かを判断し、作業用アースタブレット１２０が安全確認範囲外に位置すると判断された場合、制御装置３１０による当該電力開閉装置の投入を禁止するようにしたことを特徴としている。
【０１０３】
この発明にかかる実施の形態の作業用アース通知・監視装置３２０によれば、電力開閉装置の投入要求を受け付けた場合に、アースフック２００に付帯する作業用アースタブレット１２０が安全確認範囲内に位置する状況でのみ、制御装置３１０による電力開閉装置の投入が可能になる。このため、作業用アースが外れていると誤認したためになされた、制御装置３１０に対する電力開閉装置の投入要求を受け付けた場合にも、該当する電路が充電されることを防止できる。これにより、ヒューマンエラーによる接地短絡事故の発生を確実に防止することができる。
【０１０４】
また、この発明にかかる実施の形態の作業用アース通知・監視装置３２０は、安全確認範囲外に位置すると判断された場合は、作業用アース通知・監視装置３２０から出力される動作要求に基づいて電力開閉装置の切断および投入を制御する制御装置３１０に対して、当該動作要求を出力しないことにより当該電力開閉装置の投入を禁止するようにしたことを特徴としている。
【０１０５】
この発明にかかる実施の形態の作業用アース通知・監視装置３２０によれば、作業用アースタブレット１２０が安全確認範囲外に位置すると判断された場合は、作業用アース通知・監視装置３２０から出力される動作要求に基づいて電力開閉装置の切断および投入を制御する制御装置３１０に対して、動作要求を出力しないことにより、該当する電路が充電されることを確実に防止できる。これにより、ヒューマンエラーによる接地短絡事故の発生を確実に防止することができる。
【０１０６】
また、この発明にかかる実施の形態の作業用アース通知・監視装置３２０は、監視装置は、安全確認範囲外に位置すると判断された場合は、作業用アース通知・監視装置３２０から出力される動作要求に基づいて電力開閉装置の切断および投入を制御する制御装置３１０に対して、該当する電力開閉装置の識別情報と、当該電力開閉装置の投入の禁止命令とを含む動作要求を出力することによって、当該電力開閉装置の投入を禁止するようにしたことを特徴としている。
【０１０７】
この発明にかかる実施の形態の作業用アース通知・監視装置３２０によれば、作業用アースタブレット１２０が安全確認範囲外に位置すると判断された場合は、制御装置３１０に対して、該当する電力開閉装置の識別情報と、当該電力開閉装置の投入の禁止命令とを含む動作要求を出力することにより、投入を禁止する電力開閉装置を制御装置３１０に確実に認識させ、該当する電路が充電されることを確実に防止できる。これにより、ヒューマンエラーによる接地短絡事故の発生を確実に防止することができる。
【０１０８】
また、この発明にかかる実施の形態の作業用アース通知・監視装置３２０は、安全確認範囲外に位置しないと判断された場合は、制御装置３１０に対して、該当する電力開閉装置の識別情報と、当該電力開閉装置の投入指令とを含む動作要求を出力するようにしたことを特徴としている。
【０１０９】
この発明にかかる実施の形態の作業用アース通知・監視装置３２０によれば、作業用アースタブレット１２０が安全確認範囲外に位置しない、すなわち、作業用アースタブレット１２０が安全確認範囲内に位置する場合は、制御装置３１０に対して、該当する電力開閉装置の識別情報と、当該電力開閉装置の投入指令とを含む動作要求を出力することにより、投入する電力開閉装置を制御装置３１０に確実に認識させ、安全が確認された電路を確実に充電することができる。これにより、ヒューマンエラーによる接地短絡事故の発生を確実に防止することができる。
【０１１０】
また、この発明にかかる実施の形態の作業用アース通知・監視装置３２０は、電力開閉装置を含む所定範囲の電力系統図を表示画面に表示し、当該電力系統図中に、アースフック２００による接地位置を表示させるようにしたことを特徴としている。
【０１１１】
この発明にかかる実施の形態の作業用アース通知・監視装置３２０によれば、接地位置を表示画面に表示させることにより、作業用アースの設置をおこなう作業者や、電力開閉装置の投入要求をおこなう作業者などが、アースフック２００による接地位置を目視により確認することができる。これにより、ヒューマンエラーによる接地短絡事故の発生をより確実に防止することができる。
【０１１２】
また、この発明にかかる実施の形態の作業用アース通知・監視装置３２０は、電力系統図中にアースフック２００による接地位置が表示されている場合、電力開閉装置の投入を禁止することを特徴としている。
【０１１３】
この発明にかかる実施の形態の作業用アース通知・監視装置３２０によれば、電力系統図中にアースフック２００による接地位置が表示されている、すなわち、作業用アースが外されていない状況を作業者が目視により確認することができる。これにより、ヒューマンエラーによる接地短絡事故の発生をより確実に防止することができる。
【０１１４】
また、この発明にかかる実施の形態の作業用アース通知・監視装置３２０は、作業用アースタブレット１２０が安全確認範囲外に位置しないと判断された場合、電力開閉装置の投入禁止を解除するようにしたことを特徴としている。
【０１１５】
この発明にかかる実施の形態の作業用アース通知・監視装置３２０によれば、作業用アースタブレット１２０が安全確認範囲内に位置すると判断されるまでは電力開閉装置の投入が禁止される。このため、たとえば、作業用アースタブレット１２０の電源が切れるなどして、作業用アース通知・監視装置３２０が作業用アースタブレット１２０の位置を特定することができない場合には、電力開閉装置の投入が禁止される。
【０１１６】
これにより、作業用アースが外れていると誤認したためになされた、制御装置３１０に対する電力開閉装置の投入要求を受け付けた場合にも、該当する電路が充電されることを防止でき、ヒューマンエラーによる接地短絡事故の発生を確実に防止することができる。
【０１１７】
また、この発明にかかる実施の形態の作業用アース通知・監視システム１００は、上記の作業用アース通知・監視装置３２０と、制御装置３１０と、を備えている。作業用アース通知・監視装置３２０は、制御装置３１０に対する電力開閉装置の投入要求を受け付けた場合、アースフック２００に付帯する作業用アースタブレット１２０の位置情報に基づいて、作業用アースタブレット１２０が安全確認範囲外に位置すると判断された場合は、制御装置３１０による当該電力開閉装置の投入を禁止する。また、入力操作に応じて該当する前記電力開閉装置に対して切断または投入を指示する制御信号を出力する制御装置３１０は、電力開閉装置の投入にかかる入力操作を受け付けた場合に、作業用アース通知・監視装置３２０と通信をおこない、当該通信の結果に基づいて制御信号の出力を制御する。
【０１１８】
この発明にかかる実施の形態の作業用アース通知・監視システム１００によれば、作業用アースが外れていないにもかかわらず、現場の作業者の誤認に基づき、制御装置３１０に対する電力開閉装置の投入を指示する操作がなされた場合にも、該当する電路が充電されることを防止できる。これにより、ヒューマンエラーによる接地短絡事故の発生を確実に防止することができる。
【０１１９】
なお、この実施の形態で説明した作業用アース通知・監視方法は、あらかじめ用意されたプログラムをパーソナルコンピュータやワークステーションなどのコンピュータで実行することにより実現することができる。このプログラムは、ハードディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１２０】
以上のように、この発明にかかる作業用アース通知・監視装置、作業用アース通知・監視システム、作業用アース通知・監視方法および作業用アース通知・監視プログラムは、電路を停電しておこなう停電作業に有用であり、特に、作業用アースのつけ・外しをともなう作業に適している。
【符号の説明】
【０１２１】
１００  作業用アース通知・監視システム
１１０  運転機関システム
１２０  作業用アースタブレット
１３０  制御所システム
２００  アースフック
２０１  操作棒
２０２  頭部金具
２０３  接地金具
２０４  アースリード線
３１０  制御装置
３１１  記憶部
３１２  操作受付部
３１３  動作要求受付部
３１４  制御信号出力部
３２０  作業用アース通知・監視装置
３２１  記憶部
３２２  要求受付部
３２３  取得部
３２４  表示制御部
３２５  判断部
３２６  投入制御部
４１１、４１２、４２１、４２２  表示画面
【図１】
2019009904.tif 000003
【図２】
2019009904.tif 000004
【図３】
2019009904.tif 000005
【図４】
2019009904.tif 000006
【図５】
2019009904.tif 000007